(57)【要約】【課題】  フレーム内部に伝搬するノイズにより磁気ヘッドに悪影響を及ぼす可能性あり。【解決手段】  ディスクのリード／ライトを行うヘッド駆動部材を内面側に配置したフレームと、ディスクを回転駆動するためディスク駆動モータとを有するディスク駆動装置であって、フレーム３には、ディスク駆動モータ６を取付けるための取付孔３ｃが設けられており、ディスク駆動モータ６は、フレーム３の取付孔３ｃとの間に所定の隙間Ｇを設けてフレーム３に取付けられる。一端側が前記フレーム３の内面３ｂ側に取付けられ、他端側が前記隙間Ｇを渡って前記ディスク駆動モータ６側に取付けられるシールド部材１４を備えることで、フレーム３外部からのノイズ及びフレーム３内部に伝搬されたノイズを効果的に遮蔽できる。【選択図】    図４
2005285221.tif 000002
【特許請求の範囲】
【請求項１】
ディスクのリード／ライトを行うヘッドを備えたヘッド駆動部材と、このヘッド駆動部材
を内面側に配置したフレームと、前記ディスクを回転駆動するためディスク駆動モータと
、を有するディスク駆動装置において、
前記フレームには、前記ディスク駆動モータを取付けるための取付孔が設けられており
、
前記ディスク駆動モータは、前記フレームの取付孔との間に所定の隙間を設けて前記フ
レームに取付けられ、
一端側は前記フレームの内面側に取付けられ、他端側は前記隙間を渡って前記ディスク
駆動モータ側に取付けられるシールド部材を設けたことを特徴とするディスク駆動装置。
【請求項２】
前記シールド部材の他端側は、前記ディスク駆動モータの外側に取付けられることを特徴
とする請求項１記載のディスク駆動装置。
【請求項３】
前記シールド部材は、前記ヘッド駆動部材と略同一の幅であることを特徴とする請求項１
記載または２記載のディスク駆動装置。
【請求項４】
前記シールド部材は、前記フレームの取付け孔に前記ディスク駆動モータを取付けた際に
生じる隙間が形成される全領域の幅と同一であることを特徴とする請求項１記載または２
記載のディスク駆動装置。
【請求項５】
前記シールド部材を第１のシールド部材とし、この第１のシールド部材に重ねて取り付け
る第２のシールド部材を備え、この第２のシールド部材は、前記フレームの裏面側で、前
記フレームの取付け孔に前記ディスク駆動モータを取付けた際に生じる隙間の全領域に渡
って該隙間を覆うように、取付けられたことを特徴とする請求項１〜３の何れか一項に記
載ディスク駆動装置。
【請求項６】
前記シールド部材は、可撓性の銅箔テープであることを特徴とする請求項１〜５の何れか
一項に記載のディスク駆動装置。
【請求項７】
前記シールド部材は、両面テープにより前記フレームおよびディスク駆動モータに貼付さ
れることを特徴とする請求項１〜６記載の何れか一項に記載ディスク駆動装置。
【発明の詳細な説明】
【技術分野】
【０００１】
本発明は、ディスク駆動装置に係わり、特に、ヘッド駆動部材を内面側に配置したフレ
ームと、ディスクを回転駆動するためディスク駆動モータ等を備え、フロッピディスク等
のディスクを挿入して情報の記録／再生を行うディスク駆動装置における磁気シールド構
造に関するものである。
【背景技術】
【０００２】
フロッピディスク等のディスクを挿入して情報の記録／再生を行うディスク駆動装置に
おいて、磁気ディスクを回転駆動するスピンドルモータが取付けられる基台の外側に設け
られる回路基板からの電磁波を遮蔽する磁気ディスク装置の電磁波遮蔽構造が開発されて
いる。（例えば、特許文献１参照）
上記した特許文献１に開示されているディスク駆動装置は、本体ケース（３）内部には
、磁気ヘッド（９）を有するスイングアーム（１１）や、磁気ディスク（１）を回転駆動
するスピンドルモータ（７）が取付けられている基台（５）、回路基板（１５）が設けら
れている。基台（５）の取付け孔（５ａ）の周縁部には環状凹部（５b）が形成されてい
る。スピンドルモータ（７）のブラケット（７ａ）の底部には、回路基板（１５）からの
電磁波を遮蔽する金属からなる遮蔽部材（２１）が装着されている。この遮蔽部材（２１
）は、カップ状でその開口周縁部にフランジ（２１ａ）が形成され、基台（５）の環状凹
部（５ｂ）にフランジ（２１a）が嵌めこまれることで、ブラケット（７a）と基台（５）
との接合部が覆われる。（  ）内数字は、同公報、図１の符号を記載する。
【０００３】
上記従来の構造では、次のような問題があった。
【０００４】
すなわち、遮蔽部材（２１）のフランジ（２ａ）を基台（５）の環状凹部（５ｂ）に嵌
め込ませることにより、回路基板（１５）から基台（５）に伝わった電磁波（ノイズ）は
、そのまま本体ケース（３）の内部へ侵入して磁気ヘッド等に悪影響を及ぼし、ディスク
駆動装置の信頼性を低下させる問題があった。
【特許文献１】特開平６−９６５６９号公報（第３頁、図１）
【発明の開示】
【発明が解決しようとする課題】
【０００５】
本発明は、上述の欠点を解消するものであり、外部からのノイズおよびディスク駆動装
置のフレーム内部に伝搬されるノイズを効果的に遮蔽できるディスク駆動装置を提供する
ことを目的とする。
【課題を解決するための手段】
【０００６】
上記目的を達成するために、本発明におけるディスク駆動装置は、ディスクのリード／
ライトを行うヘッドを備えたヘッド駆動部材と、このヘッド駆動部材を内面側に配置した
フレームと、前記ディスクを回転駆動するためディスク駆動モータと、を有するディスク
駆動装置において、前記フレームには、前記ディスク駆動モータを取付けるための取付孔
が設けられており、前記ディスク駆動モータは、前記フレームの取付孔との間に所定の隙
間を設けて前記フレームに取付けられ、一端側は前記フレームの内面側に取付けられ、他
端側は前記隙間を渡って前記ディスク駆動モータ側に取付けられるシールド部材を設けた
ことを特徴とするものである。
【０００７】
また、前記シールド部材の他端側は、前記ディスク駆動モータの外側に取付けられるこ
とを特徴とするものである。
【０００８】
また、前記シールド部材は、前記ヘッド駆動部材と略同一の幅であることを特徴とする
ものである。
【０００９】
また、前記シールド部材は、前記フレームの取付け孔に前記ディスク駆動モータを取付
けた際に生じる隙間が形成される全領域の幅と同一であることを特徴とするものである。
【００１０】
また、前記シールド部材を第１のシールド部材とし、この第１のシールド部材に重ねて
取り付ける第２のシールド部材を備え、この第２のシールド部材は、前記フレームの裏面
側で、前記フレームの取付け孔に前記ディスク駆動モータを取付けた際に生じる隙間の全
領域に渡って該隙間を覆うように、取付けられたことを特徴とするものである。
【００１１】
また、前記シールド部材は、可撓性の銅箔テープであることを特徴とするものである。
【００１２】
また、前記シールド部材は、両面テープにより前記フレームおよびディスク駆動モータ
に貼付されることを特徴とするものである。
【発明の効果】
【００１３】
上記構成の本発明によれば、ディスク駆動装置のフレーム外部からのノイズ及びフレー
ム内部に伝搬されたノイズを効果的に遮蔽可能なディスク駆動装置を提供できる。
【発明を実施するための最良の形態】
【００１４】
図１〜図５は、本発明の実施例１に係わり、図１は、ディスク駆動装置の展開斜視図、
図２は、図１のフレームとディスク駆動モータの展開斜視図、図３は、図２のフレームに
ディスク駆動モータを取付けた状態の斜視図、図４（イ）は、フレームとディスク駆動モ
ータとの隙間にシールド部材を貼付した状態の要部断面図、図４（ロ）はシールド部材を
貼付する前の拡大図、図５は、図４の平面図である。図１〜図３において、本実施形態の
ディスク駆動装置は、キャリア１と、スライダ２とフレーム３と、カバー４とを備え、こ
れらの各部材の組み合わせによって筐体構造が形成されている。
【００１５】
前記キャリア１は、天板１ａの両側縁部１ｂから断面コ字状に屈曲してディスク案内部
１ｃが形成され、このディスク案内部１ｃに沿って前部１ｄから挿入されたフロッピディ
スク５を保持する機能を有している。前記キャリア１は前記スライダ２に組込まれる。そ
して、キャリア１に組込まれたスライダ２は、前記フレーム３に装着される。前記スライ
ダ２は、キャリア１をディスク装填位置とディスク排出位置との間で相対移動させる機能
を有している。
【００１６】
前記フレーム３は、底面３ｂの両側縁から一対の側壁３ａが起立している。フレーム３
は、前面および上面が開口しており、前記キャリア１を組込んだスライダ２はこの上面の
開口から嵌め込まれる。このフレーム３には、フロッピディスク５に内蔵された磁気ディ
スク５ａを高速で駆動回転するディスク駆動モータ６や、前記磁気ディスク５ａへの記録
／再生を行う磁気ヘッド７ａを備えたヘッド駆動部材７、このヘッド駆動部材７をステッ
プ移動させるヘッド駆動機構８、およびこれらの制御する制御基板９が搭載されている。
【００１７】
前記フレーム３の底面３ｂには、前記ディスク駆動モータ６を挿入する取付孔３ｃが形
成されている。前記ディスク駆動モータ６はモータベース１０に搭載されていて、ディス
ク駆動モータ６はフレーム３の底面３ｂに形成された取付孔３ｃ内に嵌め込まれ、前記フ
レーム３の底面３ｂにモータベース１０は着脱自在にネジ止めされる。前記モータベース
１０の端部には、前記制御基板９と接続する可撓性を有する接続部材（ＦＦＣ）１１が配
設されている。
【００１８】
前記フレーム３の前面には、前面ベゼル１２が装着される。前面ベゼル１２には、前記
フロッピディスク５を挿入または搬出するための開口部１２ａが形成してあり、この開口
部１２ａの内側に防塵用の開閉シャッタ１３が設けられている。
【００１９】
上記したように、フレーム３の底面３ｂに形成された取付孔３ｃ内に、ディスク駆動モ
ータ６を嵌め込み、着脱自在にネジ止めした状態において、図３および図４に示すように
、ディスク駆動モータ６は、前記フレーム３の取付孔３ｃとの間に所定の隙間Ｇ、例えば
０．５ｍｍ程度を設けて、前記フレーム３に取付けられる。該隙間Ｇが形成される幅Ｗは
、図２および図３に示す、前記取付孔３ｃの円弧の一部である。
【００２０】
符号１４は、電磁波を遮蔽する機能を有するシールド部材で、該シールド部材１４は、
可撓性を有する厚みが薄い、例えば０．０８ｍｍ程度の銅箔テープであり、両面接着テー
プ１５によってフレーム３及びディスク駆動モータ６に取り付けられる。
【００２１】
図４および図５において、上記したように、ディスク駆動モータ６は、前記フレーム３
の取付孔３ｃとの間に隙間Ｇが設けられている。該隙間Ｇの一部を塞ぐように、前記ヘッ
ド駆動部材７と略同一の幅Ｗ１に設定したシールド部材１４の一端側は前記フレーム３の
内面（底面）３ｂ側に貼付し、他端側は前記隙間Ｇを渡って前記ディスク駆動モータ６側
のモータベース１０の裏面１０ａ側に貼付する。図４（ロ）に示したように、シールド部
材１４の厚み方向の上下面には両面テープ１５がそれぞれ取り付けられている。この両面
テープ１５によって、シールド部材１４はその一端側がフレーム３の内面３ｂ側へ、他端
側がディスク駆動モータ６側へ貼付される。シールド部材１４を両面テープ１５によって
貼付するので、取り付け作業はとても容易になる。両面テープの代わりに接着剤を利用し
ても構わない。
【００２２】
上記した構成のディスク駆動装置において、フレーム３の内面３ｂ側を伝搬したノイズ
は、フレーム３の端縁の角部３ｄ（図４参照）からフレーム３の内部側へ侵入しようとす
るが、シールド部材１４が、ヘッド駆動部材７と略同一の幅Ｗ１に設定されていて、フレ
ーム３に内面３ｂ側に貼付され、前記角部３ｄを覆っているのでノイズは遮蔽され、ノイ
ズによるヘッドへの悪影響を防止することができる。
【００２３】
図６は、本発明の実施例２に係わるディスク駆動装置のフレームとディスク駆動モータ
との隙間にシールド部材を貼付した状態の要部平面図である。図６において、前記フレー
ム３の取付孔３ｃとの間に所定の隙間Ｇが設けられている。シールド部材１４Ａは、前記
隙間Ｇが形成される全領域の幅Ｗと同一の幅Ｗ２に設定した領域に貼付される。該シール
ド部材１４Ａを貼付する方法は、上記した実施例１と同様に、シールド部材１４Ａの一端
側は前記フレーム３の内面３ｂ側に貼付し、他端側は前記隙間Ｇを渡って前記ディスク駆
動モータ６側のモータベース１０の裏面１０ａ側に貼付する。上記のように、シールド部
材１４Ａを貼付することにより、フレーム３の端縁の角部３ｄの全域を覆い、前記隙間Ｇ
は完全に塞ぐことができる。
【００２４】
上記した構成のディスク駆動装置において、フレーム３とディスク駆動モータ６との隙
間Ｇからフレーム３の外側のノイズが入ってこようとするが、シールド部材１４Ａは隙間
Ｇの幅Ｗの全域に渡って貼付されているので、外部からのノイズは完全に遮蔽してフレー
ム３の内部への侵入を防止できる。また、フレーム３の内面３ｂ側を伝搬したノイズは、
フレーム３の端縁の角部３ｄからフレーム３の内部側に侵入しようとするが、実施例１と
同様に、シールド部材１４Ａがフレーム３の内面３ｂ側に貼付されていて、前記角部３ｄ
を完全に覆っているので、ノイズによるヘッドへの悪影響を防止することができる。
【００２５】
図７および図８は、本発明の実施例３に係わり、図７は、ディスク駆動装置のフレーム
とディスク駆動モータとの隙間に２つのシールド部材を貼付した状態を裏面側から見た要
部平面図、図８は、図７の要部断面図である。図７および図８において、シールド部材は
、第１のシールド部材１４Ｂと第２のシールド部材１４Ｃとよりなり、第１のシールド部
材１４Ｂは、上記した実施例１と同様に、前記ヘッド駆動部材７と略同一の幅Ｗ１で、そ
の一端側は前記フレーム３の内面３ｂ側に取付けられ、他端側は前記隙間Ｇを渡って前記
ディスク駆動モータ６のモータベース１０の裏面１０ａ側に取付けられる。また、第２の
シールド部材１４Ｃは、フレーム３とディスク駆動モータ６の裏面側において、前記隙間
Ｇが形成される全域の幅Ｗを覆うように、前記第１のシールド部材１４Ｂに重ねて貼付す
る。
【００２６】
上記した構成のディスク駆動装置において、第１のシールド部材１４Ｂは、実施例１と
同様に、フレーム３の内面側を伝搬して、フレーム３の端縁の角部３ｄからフレーム３の
内部側に侵入しようとするノイズを防止する。また、第２のシールド部材１４Ｃは、フレ
ーム３の外側から入ってくるノイズを防止する。従って、フレーム３の内側及び外部から
のノイズを完全に遮蔽することができ、ノイズによるヘッドへの悪影響を完全に防止する
ことができる。
【００２７】
上記した実施例１、２および３で使用するシールド部材は、可撓性の銅箔テープ材であ
り、その厚み方向の上下面に両面テープが取り付けられている。この両面テープによって
、シールド部材の取付け作業性は極めて容易となる。本発明のシールド部材は、フレーム
外部から侵入するノイズおよびフレーム内部に伝搬されたノイズを効果的に遮蔽して、シ
ールド効果は極めて良好である。また、本発明のシールド部材によれば、ディスク駆動装
置の電磁波遮蔽構造を安価に提供することが可能である。
【図面の簡単な説明】
【００２８】
【図１】本発明の実施例に係わるディスク駆動装置の構造を説明する展開斜視図である。
【図２】図１のフレームとディスク駆動モータの展開斜視図である。
【図３】図２のフレームにディスク駆動モータを取付けた状態の斜視図である。
【図４】（イ）は、本発明の実施例１に係わるシールド部材を貼付した状態の要部断面図、（ロ）はシールド部材を貼付する前の拡大図である。
【図５】図４の平面図である。
【図６】本発明の実施例２に係わるシールド部材を貼付した状態の要部平面図である。
【図７】本発明の実施例３に係わるシールド部材を貼付した状態の裏面側の要部平面図である。
【図８】図７の要部断面図である。
【符号の説明】
【００２９】
１  キャリア
２  スライダ
３  フレーム
３ｂ  底面（内面）
３ｃ  取付孔
３ｄ  角部
４  カバー
５  フロッピディスク
５ａ  磁気ディスク
６  ディスク駆動モータ
７  ヘッド駆動部材
７ａ  磁記ヘッド
８  ヘッド駆動機構
９  制御基板
１０  モータベース
１０ａ  裏面
１１  接続部材（ＦＦＣ）
１２  前面ベゼル
１３  開閉シャッタ
１４、１４Ａ、１４B、１４Ｃ  シールド部材
１５  両面テープ
Ｇ  隙間
Ｗ  隙間の領域
Ｗ１、Ｗ２  シールド部材の幅
【図１】
2005285221.tif 000003
【図２】
2005285221.tif 000004
【図３】
2005285221.tif 000005
【図４】
2005285221.tif 000006
【図５】
2005285221.tif 000007
【図６】
2005285221.tif 000008
【図７】
2005285221.tif 000009
【図８】
2005285221.tif 000010